(57)【要約】      （修正有）【課題】使用すると細菌を防ぎ、肌に栄養を与えることができる抗菌、抗炎症通気性シルク用品を提供する。【解決手段】本体を含む抗菌、抗炎症通気性シルク用品であって、本体の皮膚接触面にシルク層を設けたことを特徴とし、また、本体が表面層６、吸収層７及び外側層８からなる積層構造であり、表面層がシルク層であり、吸収層が表面層と外側層との間に配置され、表面層及び外側層が本体の周囲で気密接続されることを特徴とする。【選択図】図３
0003191930.tif 000002
【実用新案登録請求の範囲】
【請求項１】
ボディ用品など、体表面上の皮膚に接触する抗菌通気シルク層を設けたことを特徴とする抗菌、抗炎症通気性絹用品。
【請求項２】
表面層、吸収層及び外側層からなる積層構造であることを特徴とする請求項１に記載の抗菌、抗炎症通気性絹用品。
【考案の詳細な説明】
【技術分野】
【０００１】
本考案は、生活必需品の分野に関し、より具体的には主に女性の化粧品に使用される抗細菌、抗炎症通気性シルク製品に関する。
【背景技術】
【０００２】
人々の生活水準は、女性の毎日を改善し続けているような低品質、女性のパッド、生理用ナプキンとパンティは、ユーザーに多くの問題をもたらすために、皮膚アレルギー、湿疹や他の皮膚疾患と同様、生殖器の炎症につながる生活の中で使用される電源は、特に、ますます高い要求、直接人々の皮膚と接触している皮膚に配慮した製品と、その肌に優しい製品です直接人々の物理的および精神的健康の質を決定します。
【０００３】
シルクは一般キャッサバで絹、シルク、ヒマシ絹、絹などを含めて、絹を指します。シルクのパフォーマンスを光吸収、エレガントでソフトななめらかな鏡面光沢を見て真珠のような光沢を買う余裕はない、ソフトでエレガントな、シルク高密度、柔らかい光沢、上質な質感を感じ、皮膚に接触すると、ユーザーがより親密かつ快適に感じることができます。
【考案の開示】
【考案が解決しようとする課題】
【０００４】
本新案は、使用、皮膚の栄養、喜びより乾燥した後、細菌を防ぐため、肌に栄養を与える通気性の抗菌、抗炎症絹織物を提供することを目的とする従来技術の欠点のために設計されている。
【課題を解決するための手段】
【０００５】
実用的な対策を解決するための新しい技術は、次のとおりです。
供給体を含む抗菌、抗炎症通気シルク製品、ボディはシルク層の層を皮膚表面にいくつかの接点を提供します。
【０００６】
本体消耗品を含む抗菌通気性絹抗炎症製品は、表面層、吸収層及び外側層からなる積層構造であり、前記シルク層のための表面を前記吸収層を表面層と外層の表面との間に配置される四週間気密接続用品及び外側本体からなる。
【０００７】
有利には、抗菌性材料の外側層は、不浸透性の通気性PEフィルムである。
【０００８】
有利には、吸収層は、中国の植物抽出物、吸収紙、パルプと合成樹脂高分子吸収である。
【０００９】
本考案は、次のような利点があります。女性の下着、パッドや生理用ナプキンなどの女性の化粧品に適用される本体、シルク効果で、肌を保湿する製品を作る。細菌の予防、使用後より乾燥肌を防ぎ、栄養と快適肌となる。
【図面の簡単な説明】
【００１０】
【図１】パンツの新しいユーティリティ概略ブロック図である。
【図２】生理用ナプキンの新しいユーティリティの概略ブロック図である。
【図３】新しいパッドのユーティリティ概略ブロック図である。
【考案を実施するための形態】
【００１１】
後述する本考案は、好ましい実施形態であり、本実用新案登録は、範囲を限定するものではない。
【００１２】
図１に示す実施例1は、供給体、パンティ体が1で供給するなど、抗細菌、抗炎症通気性シルク製品を、参照表皮層2と接する部分の体表面上の生地は、絹の層である。また、皮膚の栄養と快適な、使用後はより乾燥した、細菌の防止効果、肌を保湿しています。
【００１３】
図２に示す実施例2は、供給体を含む抗細菌、抗炎症通気性シルク製品を参照してください。新規な生理用ナプキンで、表面層3、吸収層4と形成された外層5から構成される層状構造であり、前記表面層シルク層と吸収層は、外側表面及び外表面と四週間連結供給する封止の本体との間に配置され、前記外側不透過性材料は、液体吸収層の漏れを防ぐために抗生物質通気性PEフィルムであることを特徴とする。吸収層は、伝統的な中国医学の植物抽出物で構成されている。吸収紙、パルプとポリマー吸収樹脂合成は、より速く吸収し、より多くの液体をロックすることができる。月経の女性のための新しい生理用ナプキンではなく、栄養と快適ドライスキンを使用した後でも、抗炎症抗菌効果により肌を保湿しています。
【００１４】
図３に示す実施例3は、供給体を含む抗細菌、抗炎症通気性シルク製品の新しいパッドである。物品体は表面層6、吸収層7と外層8により構成された積層構造であり、前記表面層シルク層と吸収層は、外側表面及び外表面と四週間連結供給する封止の本体との間に配置され、前記外側不透過性材料は、液体吸収層の漏れを防ぐために抗生物質通気性PEフィルムであることを特徴とする。吸収層は、伝統的な中国医学の植物抽出物で構成されている。吸収紙、パルプとポリマー吸収樹脂合成は、より速く吸収し、より多くの液体をロックすることができる。女性のための新しいパッドは、それが栄養と快適な乾燥肌を使用した後でも、抗炎症抗菌効果、肌を保湿しています。
【符号の説明】
【００１５】
１    パンティ
２    シルクレイヤ
３    表面
４    吸収層
５    アウター
６    表面
７    吸収層
８    アウター
【図１】
0003191930.tif 000003
【図２】
0003191930.tif 000004
【図３】
0003191930.tif 000005
【手続補正書】
【提出日】平成26年5月28日(2014.5.28)
【手続補正１】
【補正対象書類名】実用新案登録請求の範囲
【補正対象項目名】全文
【補正方法】変更
【補正の内容】
【実用新案登録請求の範囲】
【請求項１】
本体を含む抗菌、抗炎症通気性シルク用品であって、
前記本体の皮膚接触面にシルク層を設けたことを特徴とする抗菌、抗炎症通気性シルク用品。
【請求項２】
前記本体が表面層、吸収層及び外側層からなる積層構造であり、前記表面層が前記シルク層であり、前記吸収層が前記表面層と前記外側層との間に配置され、前記表面層及び外側層が本体の周囲で気密接続されることを特徴とする請求項１に記載の抗菌、抗炎症通気性シルク用品。
【手続補正２】
【補正対象書類名】明細書
【補正対象項目名】全文
【補正方法】変更
【補正の内容】
【考案の詳細な説明】
【技術分野】
【０００１】
本考案は、生活用品の分野に関し、より具体的には主に女性用品に使用される抗菌、抗炎症通気性シルク用品に関する。
【背景技術】
【０００２】
人々の生活水準は、毎日改善し続けています。女性のパッド、生理用ナプキンとパンティは、ユーザーに多くの問題をもたらす低品質であるために、皮膚アレルギー、湿疹や他の皮膚疾患と同様、陰部の炎症につながる生活の中で使用される。特に、ますます高い要求があり、直接人々の皮膚と接触している皮膚に配慮した製品と、その肌に優しい製品は、直接人々の物理的および精神的健康の質を決定します。
【０００３】
シルクは、一般にキャッサバシルク、ヒマシシルクなどを含めたシルクを指します。シルクは光吸収性があり、エレガントでソフトななめらかな鏡面光沢があり、真珠のような光沢がある。上質な質感を感じ、皮膚に接触すると、ユーザーがより親密かつ快適に感じることができます。
【考案の開示】
【考案が解決しようとする課題】
【０００４】
本考案は、従来技術の欠点を解消するためになされたもので、使用すると細菌を防ぎ、肌に栄養を与えることができる抗菌、抗炎症通気性シルク用品を提供することを目的とする。
【課題を解決するための手段】
【０００５】
実用的な対策を解決するための新しい技術は、次のとおりです。
本体を含む抗菌、抗炎症通気性シルク用品であって、前記本体の皮膚接触面にシルク層が設けられる抗菌、抗炎症通気性シルク用品を提供する。
【０００６】
本体を含む抗菌、抗炎症通気性シルク用品であって、表面層、吸収層及び外側層からなる積層構造であり、前記表面層がシルク層であり、前記吸収層が表面層と外側層との間に配置され、表面層及び外側層が本体の周囲で気密接続される抗菌、抗炎症通気性シルク用品。
【０００７】
有利には、抗菌性材料の外側層は、不浸透性の通気性ＰＥフィルムである。
【０００８】
有利には、吸収層は、中国の植物抽出物、吸水紙、パルプと高分子吸収樹脂である。
【０００９】
本考案は、次のような利点があります。女性の下着、パッドや生理用ナプキンなどの女性用品に適用される本シルク用品は、シルク効果で、肌保湿する製品を作る。細菌の予防、使用後より乾燥肌を防ぎ、栄養を与えられた快適肌となる。
【図面の簡単な説明】
【００１０】
【図１】本考案に係るパンティの構造概略図である。
【図２】本考案に係る生理用ナプキンの構造概略図である。
【図３】本考案に係るパッドの構造概略図である。
【考案を実施するための形態】
【００１１】
後述する本考案は、好ましい実施形態であり、本考案の範囲を限定するものではない。
【００１２】
図１に示す実施例１は、本体がパンティ１である、抗菌、抗炎症通気性シルク用品を示す。本体の皮膚接触面の生地は、シルク層２である。本シルク用品は、皮膚に栄養を与え快適肌とし、細菌の防止効果、肌を保湿する。
【００１３】
図２に示す実施例２は、本体が新規な生理用ナプキンである、抗菌、抗炎症通気性シルク用品を示す。本体は、表面層３、吸収層４及び外側層５から構成される積層構造であり、前記表面層３がシルク層であり、吸収層４は表面層３と外側層５との間に配置され、表面層３及び外側層５が、本体の周囲で気密接続される。外側層５の材料は、吸収層４の液漏れを防ぐために抗生物質通気性ＰＥフィルムであることを特徴とする。吸収層４は、伝統的な中国医学の抽出物で構成されている。吸水紙、パルプとポリマー吸収樹脂合成物は、より速く吸収し、より多くの液体を貯留することができる。女性のための新しい生理用ナプキンは、皮膚に栄養を与え快適肌とし、細菌の防止効果、肌を保湿する。
【００１４】
図３に示す実施例３は、本体が新しいパッドである抗菌、抗炎症通気性シルク用品を示す。本体は、表面層６、吸収層７と外側層８により構成された積層構造であり、前記表面層６はシルク層であり、吸収層７は、表面層６及び外側層８との間に配置され、表面層６及び外側層８が本体の周囲で気密接続される。外側層８の材料は、吸収層7の液漏れを防ぐために抗生物質通気性ＰＥフィルムであることを特徴とする。吸収層７は、伝統的な中国医学の抽出物で構成されている。吸水紙、パルプと高分子吸収樹脂は、より速く吸収し、より多くの液体を貯留することができる。女性のための新しいパッドは、皮膚に栄養を与え快適肌とし、細菌の防止効果、肌を保湿する。
【符号の説明】
【００１５】
１    パンティ
２    シルク層
３    表面層
４    吸収層
５    外側層
６    表面層
７    吸収層
８    外側層